(57)【特許請求の範囲】
【請求項１】
植穴の底面に設置されたベースと、該ベースの周囲に結合された下部締結環と、植栽樹木の幹部の根本付近の直径方向に穿設された幹穴に貫通された締結用長ネジと、該締結用長ネジの両側余長部に螺合された上部締結環と、該上部締結環と前記下部締結環とを連結したワイヤと、該ワイヤに係止して前記ベースに載置された根鉢の周囲に宛てがう固定板とを備え、前記上部締結環を前記締結用長ネジに締め込むことにより、前記ワイヤを前記ベース側に張引することによって前記植栽樹木の幹部を前記根鉢と共に前記ベースに固定するようにしたことを特徴とする植栽樹木の根鉢固定具。
【請求項２】
前記ベースには、該ベースを地中に固定するための杭或はアンカーが設けられたことを特徴とする請求項１記載の植栽樹木の根鉢固定具。
【請求項３】
前記上部締結環は、前記締結用長ネジに螺合される締付部と該締付部の下方に回動自在に結合されたワイヤ掛止部とが設けられて成ることを特徴とする請求項１記載の植栽樹木の根鉢固定具。
【請求項４】
前記上部締結環と前記下部締結環とにはワイヤ掛止部が設けられ、夫々のワイヤ掛止部は固定軸の周りにカラーを備えた滑車式の構造を有し、前記ワイヤ掛止部に掛けられた前記ワイヤを前記カラーの回動によって送り方向に移動するようにしたことを特徴とする請求項１記載の植栽樹木の根鉢固定具。
【請求項５】
植穴の底面に設置したベースに植栽樹木の根鉢を載置すると共に、前記植栽樹木の幹部の根本付近の直径方向に穿設された幹穴に締結用長ネジを貫通することによって前記幹部の両側に突出した前記締結用長ネジの余長部に上部締結環を螺合する一方、前記上部締結環と前記ベースの周囲に結合された下部締結環とをワイヤで掛止した上、該ワイヤが根鉢の周囲に当たる箇所に固定板を宛てがった状態にした後、前記上部締結環を締め付けることによって前記ワイヤを緊締して前記植栽樹木の幹部を前記根鉢と共に前記ベースに固定するようにしたことを特徴とする植栽樹木の根鉢固定具の施工方法。
【発明の詳細な説明】
【０００１】
【発明の属する技術分野】
本発明は、地中に埋設されたベースに対して根鉢のみならず幹部を固定することによって植栽樹木の自立補助を強固に行うようにした植栽樹木の根鉢固定具及びその施工方法に関するものである。
【０００２】
【従来の技術】
公園やゴルフ場或は街路等に樹木を植栽する従来の方法としては、地中に掘削した植穴に植栽樹木の根鉢を植入し、この樹木に支柱を取り付けて自立状態にするという方法を用いていたが、この支柱が歩行等の支障となり、また美観を著しく損なうという問題があった。
【０００３】
そこで、このような問題を解消するために、植穴にベースを設け、このベースに植栽樹木の根鉢を載置すると共に、ベースにワイヤ等によって根鉢を固定した後、植穴の隙間に掘削土を埋め戻すことにより、上記の支柱を用いることなく植栽樹木を地中に自立させる方法が用いられている。
【０００４】
【発明が解決しようとする課題】
ところで、このような移植方法においては、移植後の樹木が周辺土壌に根をはるまで、強風や地震等の外力によって倒れることがないように、根鉢をベースに対して強固に固定しておく必要がある。
【０００５】
このための方法としては、従来からベースに載置した根鉢をワイヤ等で結合するという方法によっていたが、このような締結方法による場合、ベースに載置される根鉢の底面がある程度の広さを有することによって安定した載置状態を確保することが要求される。
【０００６】
ところが、椰子の木等のように、幹の大きさに比べて根鉢の底面が極端に小さい植栽樹木の場合、土壌に自立させた植栽樹木が強風等の外力によって容易に倒れてしまうという問題点があった。
【０００７】
また、植栽樹木の根鉢をベースに固定するようにした従来の移植方法においては、移植された樹木の幹部を固定するのではないため、地中に固定された根鉢に対して幹部にぐらつきが生じるという問題点があった。
【０００８】
本発明は、このような事情に鑑みてなされたもので、地中に埋設されたベースに対して根鉢のみならず幹部を固定することによって植栽樹木の自立補助を強固に行うようにした植栽樹木の根鉢固定具及びその施工方法を提供することを目的とする。
【０００９】
【課題を解決するための手段】
上記の目的を達成するために、本発明の請求項１の植栽樹木の根鉢固定具は、植穴の底面に設置されたベースと、該ベースの周囲に結合された下部締結環と、植栽樹木の幹部の根本付近の直径方向に穿設された幹穴に貫通された締結用長ネジと、該締結用長ネジの両側余長部に螺合された上部締結環と、前記上部締結環と前記下部締結環とを連結したワイヤと、該ワイヤに係止して前記ベースに載置された根鉢の周囲に宛てがう固定板とを備え、前記上部締結環を前記締結用長ネジに締め込むことにより、前記ワイヤを前記ベース側に張引することによって前記植栽樹木の幹部を前記根鉢と共に前記ベースに固定するようにしたことを特徴とする。
【００１０】
本発明の請求項２の植栽樹木の根鉢固定具は、請求項１の植栽樹木の根鉢固定具において、前記ベースには、該ベースを地中に固定するための杭或はアンカーが設けられたことを特徴とする。
【００１１】
本発明の請求項３の植栽樹木の根鉢固定具は、請求項１の植栽樹木の根鉢固定具において、前記上部締結環は、前記締結用長ネジに螺合される締付部と該締付部の下方に回動自在に結合されたワイヤ掛止部とを有することを特徴とする。
【００１２】
本発明の請求項４の植栽樹木の根鉢固定具は、請求項１の植栽樹木の根鉢固定具において、前記上部締結環と前記下部締結環とにはワイヤ掛止部が設けられ、夫々のワイヤ掛止部は固定軸の周りにカラーを備えた滑車式の構造を有し、前記ワイヤ掛止部に掛けられた前記ワイヤを前記カラーの回動によって送り方向に移動するようにしたことを特徴とする。
【００１３】
本発明の請求項５の植栽樹木の根鉢固定具の施工方法は、植穴の底面に設置したベースに植栽樹木の根鉢を載置すると共に、前記植栽樹木の幹部の根本付近の直径方向に穿設された幹穴に締結用長ネジを貫通することによって前記幹部の両側に突出した前記締結用長ネジの余長部に上部締結環を螺合する一方、前記上部締結環と前記ベースの周囲に結合された下部締結環とをワイヤで掛止した上、該ワイヤが根鉢の周囲に当たる箇所に固定板を宛てがった状態にした後、前記上部締結環を締め付けることによって前記ワイヤを緊締して前記植栽樹木の幹部を前記根鉢と共に前記ベースに固定することを特徴とする。
【００１４】
【発明の実施の形態】
以下、本発明の実施例について図面を参照しながら説明する。
【００１５】
本発明による植栽樹木の根鉢固定具は、図１に示すように、植穴２の底面に設置されたベース３と、該ベース３の周囲に結合された下部締結環４と、植栽樹木の幹部５の根本付近の直径方向に穿設された幹穴６に貫通された締結用長ネジ７と、該締結用長ネジ７の両側余長部７ａ、７ａに螺合された上部締結環８と、該上部締結環８と下部締結環４とを連結したワイヤ９と、該ワイヤ９に係止してベース３に載置された根鉢１０の周囲に宛てがう固定板１１とを備え、上部締結環８を締結用長ネジ７に締め込むことにより、ワイヤ９をベース３側に張引することによって植栽樹木の幹部５を根鉢１０と共にベース３に固定するようにしたものである。
【００１６】
このような構成についてより詳細に述べると、植穴２の底面に設置されたベース３は、図３(a) 及び(b) に示すように、矩形の外径枠１３の中央に矩形の内径枠１４を配置して、外径枠１３と内径枠１４の対向する各辺同士を２本の放射状に配した連結梁１５により結合すると共に、外径枠１３と内径枠１４の各辺の中央箇所同士を連結板１７によって結合した構成とされている。
【００１７】
また、内径枠１４の内側には鋼管杭１６を設けることにより、地盤に対するベース３の固定状態を強化するようにしている。即ち、図３(a) に示すように、鋼管杭１６の上端にはフランジ１６ａが固定され、このフランジ１６ａの中央には鋼管杭１６の内径に対応した円形空所１６ｂが形成され、予め地中に掘削された杭穴１８（図１参照）に鋼管杭１６をアースオーガ等によってねじ込んだ後、上端のフランジ１６ａの四角と連結板１７とをボルト１８ａとナット１８ｂとで結合する。
【００１８】
なお、この鋼管杭１６はベース３を地盤に固定した状態を強化するために設けられたものであり、ベース３の平面積を広く形成した場合等には鋼管杭１６を設ける必要がなく、また鋼管杭１６の代わりに地中に打設したアンカー（不図示）をベース３に固定してベース３の地盤に対する固定状態を強化するようにしてもよい。
【００１９】
また、ベース３の形状及び構造は上記のものに限定する必要はなく、円径枠等の他の形状によるものでもよいが、ベース３の周囲に下部締結環４を結合し得る構成とする必要がある。
【００２０】
本実施例においては、ベース３の各辺に２本ずつ配した連結梁１５の夫々に下部締結環４を結合するようにしている。この下部締結環４は、図４(a) 及び(b) に示すように、ベース３の連結梁１５に挿着する結合環２０と該結合環２０の上端に接合した断面Ｕ字形の平行軸受２１の両側穿孔部２２、２２にボルト２３を挿通してナット２４で締結することにより固定軸２５とし、該固定軸２５の周囲にカラー２６を遊挿して滑車式の構造を成すものである。このような下部締結環４の結合環２０がベース３の夫々の連結梁１５に沿って摺動自在に挿着され、図２に示すように、ベース３に載置された根鉢１０の外径に応じた位置に夫々の下部締結環４を移動するようにしている。
【００２１】
また、図１及び図２に示すように、ベース３に載置された根鉢１０の幹部５の根本付近の直径方向に幹穴６が交互十字状に形成され、夫々の幹穴６に締結用長ネジ７が貫通され、該締結用長ネジ７を幹部５から両側に突出するようにしている。そして、幹部５から両側に突出した締結用長ネジ７の両側余長部７ａ、７ａに上部締結環８が螺合されたうえ、締結用長ネジ７の先端部には袋ナット２８が締結されている。
【００２２】
上部締結環８は、図５(a) 〜(d) に示すように、締結用長ネジ７に螺合される締付部３０と該締付部３０の下方に回動自在に結合されたワイヤ掛止部３１とを有し、ワイヤ掛止部３１は固定軸３２の周りにカラー３３を備えた滑車式の構造を有するものである。
【００２３】
即ち、上部締結環８の締付部３０は、図５(a) に示すように、締結用長ネジ７に沿って移動し得る挿通穴３４を穿設した連続板３５と締結用長ネジ７の外側に螺合した締結用ナット３６と締結用長ネジ７の内側（幹部５側）に螺合した補助ナット２９を有し、連続板３５の両縁は平行方向に折り返されて成る補強辺３５ａ、３５ａが形成されている。
【００２４】
また、上部締結環８のワイヤ掛止部３１は、図５(c) に示すように、上記の連続板３５の下部背面に突出固定された平行片３７、３７の穿孔部３８、３８にボルト３９を挿通してナット４０で締結し、図５(a) に示すように、ボルト３９に断面Ｕ字形の平行軸受４１の後端を上下方向に回動自在に挿着し、図５(b) に示すように、平行軸受４１の両側穿孔部４２、４２にボルト４３を挿通してナット４４で締結することにより固定軸３２とし、該固定軸３２の周囲にカラー３３を遊挿して成る滑車式の構造を成すものである。
【００２５】
このような構成においては、図５(d) に示すように、平行軸受４１がボルト３９の周りに上下方向に回動することができるため、ワイヤ掛止部３１のカラー３３にワイヤ９を掛けて、該ワイヤ９の両端を下部締結環４、４に結合した際（図１参照）、ワイヤ９の引張方向に応じて上部締結環８の平行軸受４１が傾斜するようにしている。
【００２６】
また、図５(d) に示すように、締結用長ネジ７に螺合された補助ナット２９を幹部５の両側部に締め付けておくことによって締結用長ネジ７の回り止めがなされ、この状態で締結用ナット３６を締め込むことによって連続板３５を幹部５側に移動してワイヤ９の張引を行うことができる。
【００２７】
さらに、上部締結環８を所定位置まで締め込んだ後に、補助ナット２９を図５(a) に示すように上部締結環８の連続板３５側に締め付けることにより、ワイヤ９によって下方に引っ張られた状態にある上部締結環８の戻り止めとすることができる。
【００２８】
一方、図１及び図２に示すように、ワイヤ９が根鉢１０に当たる箇所には固定板１１が宛てがわれるようにされている。この固定板１１は、図６(a) 乃至(c) に示すように、長形の金属薄板４７の中央に沿って上部と中部と下部にワイヤ９の挿通環４８が固定され、板面には内側上方に傾斜する複数の折曲片４９が形成されて成るものである。この折曲片４９は、根鉢１０の側面に食い込むことによって固定板１１のずれ防止として作用する。
【００２９】
上記構成の根鉢固定具を用いた施工方法を図１、図２によって説明すると、まず、植穴２の底面に設置したベース３に植栽樹木の根鉢１０を載置する。
【００３０】
そして、植栽樹木の幹部５の根本付近の直径方向に幹穴６を交互十字状に穿設し、夫々の幹穴６に締結用長ネジ７を貫通することによって幹部５の両側に締結用長ネジ７の余長部７ａ、７ａを突出する。
【００３１】
次いで、締結用長ネジ７の両側の余長部７ａ、７ａに上部締結環８を螺合する一方、夫々の上部締結環８に掛けたワイヤ９の両端をベース３の周囲の下部締結環４、４に掛けて結合し、さらにワイヤ９が根鉢１０の周囲に当たる箇所に固定板１１を宛てがった状態にして、ワイヤ９が根鉢１０の周囲に食い込むのを防止しておく。
【００３２】
この時、図５(d) に示すように締結用長ネジ７に螺合された両側の補助ナット２９、２９を幹部５の両側部に締め付けることによって、締結用長ネジ７の回り止めをしておく。
【００３３】
次いで、夫々の上部締結環８の締結用ナット３６を締め込むことによって連続板３５を幹部５側に移動してワイヤ９の張引を行い、こうして植栽樹木の幹部５を根鉢１０と共にベース３に固定した後、図５(a) に示すように夫々の補助ナット２９を連続板３５側に締め付けることにより、下部締結環４側にワイヤ９で引っ張られた状態の上部締結環８の戻り止めとする。
【００３４】
次いで、根鉢１０の植穴２の周囲に掘削土を埋め戻して上面を平坦に均すことにより植栽樹木の移植を完了する。
【００３５】
なお、上記の構成においては、締結用長ネジ７の両側に余長部７ａ、７ａが設けられているため、植栽樹木の成長に伴う幹部５の大径化に応じて上部締結環８を後退させることも可能である。
【００３６】
【発明の効果】
以上説明したように、本発明の植栽樹木の根鉢固定具及びその施工方法によれば、植栽樹木の幹部の根本付近の直径方向に穿設された幹穴に締結用長ネジが貫通され、該締結用長ネジの両側余長部に螺合された上部締結環とベース側に結合された下部締結環とがワイヤで締結されることにより、植栽樹木の幹部を根鉢と共にベースに固定することが可能となる。
【００３７】
従って、根鉢のみをベースに固定するようにした従来の根鉢固定具とは異なり、植栽樹木の幹部をワイヤを介してベースに固定することが可能となるため、幹の大きさに比べて根鉢が小さい椰子の木等の植栽のみならず、他の一般的な樹木の植栽を行う場合においても、根鉢と共に幹部をベースに強固に固定することによって、強風等の外力に対しても幹部に揺れが生じにくい植栽樹木の移植を行うことが可能となる。
【図面の簡単な説明】
【図１】本発明による植栽樹木の根鉢固定具による根鉢固定状態を側方から見た図である。
【図２】本発明による植栽樹木の根鉢固定具による根鉢固定状態を上方から見た図である。
【図３】(a) は本発明による植栽樹木の根鉢固定具のベースの平面図であり、(b) はその側面図である。
【図４】(a) は本発明による植栽樹木の根鉢固定具の下部締結環の正面図であり、(b) はその側面図である。
【図５】(a) は本発明による植栽樹木の根鉢固定具の上部締結環の側面図であり、(b) はその正面図であり、(c) はその上面図であり、(d) は上部締結環の補助ナットを幹部側に締め付けた状態を示す側面図である。
【図６】(a) は本発明による植栽樹木の根鉢固定具の上部締結環の正面図であり、(b) はその側面図であり、(c) はその上面図である。
【符号の説明】
２…植穴、３…ベース、４…下部締結環、５…植栽樹木の幹部、６…幹穴、
７…締結用長ネジ、７ａ…余長部、８…上部締結環、９…ワイヤ、
１０…根鉢、１１…固定板、１３…外径枠、１４…内径枠、１５…連結梁、
１６…鋼管杭、１７…連結板、２０…結合環、２１…平行軸受、２２…穿孔部、
２５…固定軸、２６…カラー、２９…補助ナット、３０…締付部、
３１…ワイヤ掛止部、３２…固定軸、３３…カラー、３５…連続板、
３７…平行片、３８…穿孔部、４１…平行軸受、４２…穿孔部、
４７…金属薄板、４８…挿通環、４９…折曲片。
【図１】
0003711439.tif 000002
【図２】
0003711439.tif 000003
【図３】
0003711439.tif 000004
【図４】
0003711439.tif 000005
【図５】
0003711439.tif 000006
【図６】
0003711439.tif 000007